(57)【要約】      （修正有）【課題】厚い媒体を使用可能でありながら、特に薄い媒体を使用する際において媒体支持部の高さ調整を高精度で行うことが可能な媒体支持装置を提供する。【解決手段】媒体を支持する側とは反対側にピン１１が設けられている支持台５と、前記ピン１１を介して前記支持台５を支持し、該支持台５を鉛直方向Ｃに移動可能な移動機構６と、前記移動機構６を支持可能な基部８と、前記移動機構６と前記基部８との間に着脱可能なスペーサー１０と、を備え、前記スペーサー１０は、鉛直方向Ｃと交差する方向において、前記ピン１１における鉛直方向Ｃの延長線上の位置に対応する部分を含む大きさであることを特徴とする。【選択図】図３
2014097585.tif 000002
【特許請求の範囲】
【請求項１】
媒体を直接又は別の部材を介して支持し、該媒体を支持する側とは反対側にピンが設け
られている支持台と、
前記ピンを介して前記支持台を支持し、該支持台を鉛直方向に移動可能な移動機構と、
前記移動機構を支持可能な基部と、
前記移動機構と前記基部との間に着脱可能なスペーサーと、を備え、
前記スペーサーは、鉛直方向と交差する方向において、前記ピンにおける鉛直方向の延
長線上の位置に対応する部分を含む大きさであることを特徴とする媒体支持装置。
【請求項２】
請求項１に記載の媒体支持装置において、
前記移動機構は、
鉛直方向を回転軸の方向として回転可能であって回転に対応して鉛直方向に前記支持台
を移動可能な回転レバーと、
前記回転レバーに設けられ、前記基部と接触することにより該回転レバーの回転範囲を
制限するストッパーと、を有し、
前記ストッパーは、前記移動機構と前記基部との間への前記スペーサーの設置有無に拘
らず前記基部と接触可能であることを特徴とする媒体支持装置。
【請求項３】
請求項１又は２に記載の媒体支持装置において、
前記スペーサー及び前記基部の少なくとも一方は、前記支持台の鉛直方向における位置
を示す表示部を有し、
前記移動機構は、
鉛直方向を回転軸の方向として回転可能であって回転に対応して該鉛直方向に前記支
持台を移動可能な回転レバーと、
前記回転レバーに設けられ、該回転レバーの持ち手部分における鉛直方向の延長線上
とは異なる位置に、前記支持台の鉛直方向における位置を前記表示部から指し示す指示部
と、を備えることを特徴とする媒体支持装置。
【請求項４】
請求項２又は３に記載の媒体支持装置において、
前記スペーサー及び前記基部は、前記回転レバーの回転に伴う前記基部に対する前記ス
ペーサーの回転を抑制する回転抑制構造を有することを特徴とする媒体支持装置。
【請求項５】
請求項１から４のいずれか１項に記載の媒体支持装置において、
前記スペーサーは、前記基部に設けられた回転支点部を有し、該回転支点部を支点とし
て該スペーサーを回転させることにより前記移動機構と前記基部との間に着脱可能となる
ことを特徴とする媒体支持装置。
【請求項６】
請求項１から５のいずれか１項に記載の媒体支持装置と、
前記媒体支持装置に支持された媒体に記録を行う記録部と、を備えることを特徴とする
記録装置。
【発明の詳細な説明】
【技術分野】
【０００１】
本発明は、媒体を支持する媒体支持装置及び記録装置に関する。
【背景技術】
【０００２】
従来から、媒体を支持する媒体支持装置が使用されている。このうち、媒体を支持する
媒体支持部を有し、該媒体支持部を高さ方向に移動可能な媒体支持装置が使用されている
。このような媒体支持装置は媒体支持部に支持する媒体の厚さに応じて該媒体支持部を高
さ方向に移動可能な構成となっているものが多いが、媒体の種類は増え続けており、これ
まで以上に様々な厚さの媒体を使用可能な媒体支持装置を提供することが望まれている。
【０００３】
特に、媒体支持装置を備え、布帛などの被記録媒体を該媒体支持装置に支持させて記録
を行う記録装置では、様々な厚さの媒体を使用することに対する要望が多く、さらに、特
に薄い媒体を使用する際における媒体支持部の高精度の高さ調整が望まれている。すなわ
ち、厚い媒体を使用可能でありながら、特に薄い媒体を使用する際において媒体支持部の
高さ調整を高精度で行うことが可能な媒体支持装置及び記録装置を提供することが望まれ
ている。
【０００４】
媒体支持部の高さ調整を行うことが可能な媒体支持装置に関する技術として、例えば、
特許文献１には、被記録媒体を支持するプラテンの支持部材として弾性体が設けられ、該
弾性体の圧縮度合いを可変な媒体支持部を備えた記録装置が開示されている。
【先行技術文献】
【特許文献】
【０００５】
【特許文献１】特開２００６−２４０１０７号公報
【発明の概要】
【発明が解決しようとする課題】
【０００６】
しかしながら、特許文献１の記録装置は、該弾性体の圧縮度合いを変えることにより媒
体支持部の高さ調整を行うことは可能であるが、その調整可能範囲は狭く、使用できる媒
体は限られる。このように、厚い媒体を使用可能でありながら、特に薄い媒体を使用する
際において媒体支持部の高さ調整を高精度で行うことが可能な媒体支持装置はこれまでな
かった。
【０００７】
そこで、本発明の目的は、厚い媒体を使用可能でありながら、特に薄い媒体を使用する
際において媒体支持部の高さ調整を高精度で行うことが可能な媒体支持装置を提供するこ
とである。
【課題を解決するための手段】
【０００８】
上記課題を解決するための本発明の第１の態様の媒体支持装置は、媒体を直接又は別の
部材を介して支持し、該媒体を支持する側とは反対側にピンが設けられている支持台と、
前記ピンを介して前記支持台を支持し、該支持台を鉛直方向に移動可能な移動機構と、前
記移動機構を支持可能な基部と、前記移動機構と前記基部との間に着脱可能なスペーサー
と、を備え、前記スペーサーは、鉛直方向と交差する方向において、前記ピンにおける鉛
直方向の延長線上の位置に対応する部分を含む大きさであることを特徴とする。
【０００９】
ここで、「媒体を直接又は別の部材を介して支持し」とは、前記支持台が、直接媒体を
支持する媒体支持部を兼ねている場合と、媒体支持トレイ等の別の部材を介して媒体を支
持する場合の両方を含む意味である。また、ここでの「鉛直方向」とは、前記支持台から
前記移動機構に重力がかかる方向であり、厳密な意味での鉛直方向のほか、厳密な意味で
の鉛直方向から多少傾いた方向も含む意味である。
【００１０】
本態様によれば、前記支持台を鉛直方向に移動可能な手段として前記移動機構と前記ス
ペーサーとを備えている。このため、薄い媒体を使用する際には前記移動機構により高精
度に前記支持台の位置を鉛直方向に調整でき、厚い媒体を使用する際には前記スペーサー
を外したうえで前記移動機構により調整することで前記支持台の位置を鉛直方向に調整で
きる。
【００１１】
また、前記スペーサーの大きさによっては前記支持台及びこれに支持された媒体の重さ
により前記移動機構が変形し破損することも有り得る。しかし、本態様によれば、前記ス
ペーサーは、鉛直方向と交差する方向において、前記ピンにおける鉛直方向の延長線上の
位置に対応する部分を含む大きさであるので、前記スペーサーが前記移動機構を確りと支
えることが可能な構成となっている。このため、移動機構の変形及び破損を抑制すること
ができる。  
なお、「鉛直方向の延長線上の位置に対応する部分を含む大きさ」には、鉛直方向の延
長線上の位置を含む大きさは当然含まれる。さらに、鉛直方向の延長線上の位置を厳密に
は含まない大きさであっても、該位置の近傍部分を含み前記移動機構の変形及び破損を抑
制する効果を有する大きさであれば該大きさも含まれる。
【００１２】
本発明の第２の態様の媒体支持装置は、前記第１の態様において、前記移動機構は、鉛
直方向を回転軸の方向として回転可能であって回転に対応して鉛直方向に前記支持台を移
動可能な回転レバーと、前記回転レバーに設けられ、前記基部と接触することにより該回
転レバーの回転範囲を制限するストッパーと、を有し、前記ストッパーは、前記移動機構
と前記基部との間への前記スペーサーの設置有無に拘らず前記基部と接触可能であること
を特徴とする。
【００１３】
本態様によれば、回転レバーという簡単な構成で高精度の移動機構を構成できるととも
に、別途新たな構成部材を設けることなく簡単な構成で該回転レバーの回転範囲を制限す
るストッパーを設けることができる。また、前記移動機構と前記基部との間への前記スペ
ーサーの設置有無に拘らず前記基部と接触可能であるため、前記ストッパーに前記スペー
サーの設置有無に拘らずストッパーとしての機能を有させることができる。
【００１４】
本発明の第３の態様の媒体支持装置は、前記第１又は２の態様において、前記スペーサ
ー及び前記基部の少なくとも一方は、前記支持台の鉛直方向における位置を示す表示部を
有し、前記移動機構は、鉛直方向を回転軸の方向として回転可能であって回転に対応して
鉛直方向に前記支持台を移動可能な回転レバーと、前記回転レバーに設けられ、該回転レ
バーの持ち手部分における鉛直方向の延長線上とは異なる位置に、前記支持台の鉛直方向
における位置を前記表示部から指し示す指示部と、を備えることを特徴とする。
【００１５】
ここで「前記支持台の鉛直方向における位置を示す表示部」とは、前記支持台の鉛直方
向における位置に関する情報を表す表示がされているものであれば特に限定されず、例え
ば、使用する媒体の名称のほか数字やアルファベット等の表示がされたものでもよい。  
本態様によれば、簡単な構成で、且つ、ユーザーが見やすい状態で前記支持台の鉛直方
向における位置を指し示すことができる。
【００１６】
本発明の第４の態様の媒体支持装置は、前記第２又は３の態様において、前記スペーサ
ー及び前記基部は、前記回転レバーの回転に伴う前記基部に対する前記スペーサーの回転
を抑制する回転抑制構造を有することを特徴とする。
【００１７】
本態様によれば、前記スペーサーが前記回転レバーの回転に伴って前記基部に対して回
転することを抑制することができる。特に、前記支持台の鉛直方向における位置に対応す
る表示が前記スペーサーにされている媒体支持装置において、前記スペーサーが回転する
ことによってユーザーが該表示を見誤ることを抑制することができる。
【００１８】
本発明の第５の態様の媒体支持装置は、前記第１から第４のいずれか１つの態様におい
て、前記スペーサーは、前記基部に設けられた回転支点部を有し、該回転支点部を支点と
して該スペーサーを回転させることにより前記移動機構と前記基部との間に着脱可能とな
ることを特徴とする。
【００１９】
本態様によれば、簡単な構成により前記スペーサーを前記移動機構と前記基部との間に
着脱可能に設置できる。
【００２０】
本発明の第６の態様の記録装置は、前記第１から第５のいずれか１つの媒体支持装置と
、前記媒体支持装置に支持された媒体に記録を行う記録部と、を備えることを特徴とする
。
【００２１】
本態様によれば、厚い被記録媒体を使用可能でありながら、特に薄い被記録媒体を使用
する際において支持台の高さ調整を高精度で行うことが可能になる。
【図面の簡単な説明】
【００２２】
【図１】本発明の実施例１に係る記録装置の概略斜視図。
【図２】本発明の実施例１に係る記録装置の概略正面図。
【図３】本発明の実施例１に係る媒体支持装置の斜視図。
【図４】本発明の実施例１に係る媒体支持装置の側面図。
【図５】本発明の実施例１に係る媒体支持装置の側面図。
【図６】本発明の実施例１に係るピンと回転レバーとの位置関係を表す平面図。
【図７】本発明の実施例１に係るピンとスペーサーとの位置関係を表す平面図。
【図８】本発明の実施例１に係るステージの高さ方向における位置を表す正面図。
【図９】本発明の実施例１に係るステージの高さ方向における位置を表す正面図。
【図１０】本発明の実施例２に係る媒体支持装置の側面図。
【発明を実施するための形態】
【００２３】
以下に、本発明の実施例に係る記録装置について、添付図面を参照して詳細に説明する
。  
また、下記の実施例では媒体支持装置を備えた記録装置を用いて説明している。しかし
、本発明の媒体支持装置は、記録装置に備えられた媒体支持装置に限定されるわけではな
い。  
また、下記の実施例では記録装置として記録ヘッドからインクを吐出して記録を行うイ
ンクジェット記録装置を用いて説明している。しかし、本発明の記録装置は、インクジェ
ット記録装置に限定されるわけではない。
【００２４】
［実施例１］（図１〜図９）  
最初に、本発明の実施例１に係る記録装置について説明する。  
図１は本発明の実施例１に係る記録装置１の概略斜視図であり、図２は本発明の実施例
１に係る記録装置１の概略正面図である。  
本実施例の記録装置１は、媒体支持部２に支持された媒体を搬送方向Ａに搬送する媒体
搬送部３を備えている。媒体支持部２は、媒体を支持する媒体支持トレイとしてのトレイ
４と、トレイ４を支持する支持台としてのステージ５とを備えている。トレイ４は、媒体
支持部２の移動機構としての回転レバー６を回転させることにより、鉛直方向でもある高
さ方向Ｃに移動する。なお、高さ方向Ｃは、媒体支持部２から回転レバー６に重力がかか
る方向であり、本実施例の記録装置１では厳密な意味での鉛直方向であるが、厳密な意味
での鉛直方向から多少傾いた方向であっても構わない。  
なお、本実施例の記録装置１では、支持台としてのステージ５がトレイ４を介して媒体
を支持する構成であるが、支持台が直接媒体を支持し媒体支持部を兼ねている構成でもよ
い。
【００２５】
また、記録装置１の本体内部には記録部としての記録ヘッド（不図示）が備えられてい
る。そして、本実施例の記録装置１は、搬送方向Ａと交差する走査方向Ｂに記録ヘッドを
往復移動させながら、記録ヘッドから媒体支持部２に支持された媒体にインクを吐出させ
て所望の画像を形成する。なお、本実施例の記録装置１は、図１中の手前側（左下方向）
が媒体支持部２への媒体のセット位置である。記録装置１は、セット位置から図１中の奥
側（右上方向）の記録開始位置まで媒体をセットした媒体支持部２を移動した後、図１中
の手前側に媒体支持部２を移動しながら記録する。図１は、媒体支持部２が記録開始位置
にある状態を表している。
【００２６】
次に、本発明の実施例１に係る記録装置１の要部である媒体支持装置について説明する
。  
図３は、本発明の実施例１に係る記録装置１の要部である媒体支持装置７の斜視図であ
る。  
本実施例の媒体支持装置７は、ステージ５と、回転レバー６と、回転レバー６を支持可
能な基部としてのアーム８と、媒体の裾受けとなる下部トレイ９と、を備えている。また
、回転レバー６とアーム８との間に着脱可能なスペーサー１０を備えている。なお、媒体
支持装置７はさらに、媒体を支持するトレイ４を着脱可能に備えているが、図３はトレイ
４を外した状態を表している。
【００２７】
媒体支持部２を構成するステージ５には、媒体を支持する側である上側とは反対側の下
側に突出したピン１１が三ケ所設けられている。ピン１１は、回転レバー６に設けられた
階段状の支持部１２に支持されている。ユーザーは、回転レバー６に設けられた持ち手部
分１３を持って回転レバー６を高さ方向Ｃと交差する方向に回転させる。こうすることに
より、階段状の支持部１２に支持されたピン１１の高さ方向Ｃの位置が変動し、これに伴
いステージ５（媒体支持部２）の高さ方向Ｃの位置が変動する。別の表現をすると、回転
レバー６は、高さ方向Ｃを回転軸の方向として回転可能であって、回転に対応して高さ方
向Ｃにステージ５を移動可能である。なお、回転レバー６には、アーム８と接触すること
により該回転レバー６の回転範囲を制限するストッパー１４が設けられている。  
なお、ステージ５は、柱状部２１、２２を有し、柱状部２１、２２をアーム８に設けら
れた穴に通すことにより水平方向に位置決めされる。
【００２８】
次に、本発明の実施例１に係る記録装置１におけるスペーサー１０の着脱について説明
する。  
図４は、本発明の実施例１に係る記録装置１の要部である媒体支持装置７の側面図であ
り、媒体支持装置７にスペーサー１０を装着した状態を表した図である。  
スペーサー１０は、回転レバー６とアーム８との間に装着されている。本実施例の記録
装置１では、相対的に高さ方向Ｃの厚さが薄い媒体を被記録媒体として使用する場合にス
ペーサー１０が装着される。ユーザーは、薄い被記録媒体に記録を行う場合、スペーサー
１０を媒体支持装置７に装着し、回転レバー６の持ち手部分１３を持って回転レバー６を
回転させることにより高精度にステージ５の高さ調整を行うことが可能である。
【００２９】
図５は、本発明の実施例１に係る記録装置１の要部である媒体支持装置７の側面図であ
り、媒体支持装置７からスペーサー１０を外した状態を表した図である。  
ユーザーは、相対的に高さ方向Ｃの厚さが厚い被記録媒体に記録を行う場合、スペーサ
ー１０を媒体支持装置７から外し、回転レバー６の持ち手部分１３を持って回転レバー６
を回転させることにより高精度にステージ５の高さ調整を行うことが可能である。本実施
例の記録装置１は、スペーサー１０を媒体支持装置７に対して着脱可能な構成とすること
によって、スペーサー１０を外して厚い媒体を使用可能とするとともに、回転レバー６に
よる高精度な高さ調整を可能としている。  
なお、スペーサーを用いることによるメリットとして、厚い被記録媒体を用いた場合に
おいて、該被記録媒体が記録ヘッドに接触することによる記録ヘッドの破損を回避可能で
あることが挙げられる。また、被記録媒体の高さ調整のための特別な機構が必要なく、構
造の簡素化・低コスト化が図れることが挙げられる。
【００３０】
なお、本実施例の記録装置１は、媒体支持装置７にスペーサー１０を装着した状態及び
媒体支持装置７からスペーサー１０を外した状態のいずれの状態においても、ストッパー
１４はアーム８と接触可能な構成となっている。すなわち、ストッパー１４は、回転レバ
ー６とアーム８との間へのスペーサー１０の設置有無に拘らずアーム８と接触可能である
。このような構成により、ストッパー１４にスペーサー１０の設置有無に拘らずストッパ
ーとしての機能を有させている。
【００３１】
次に、本発明の実施例１に係る記録装置１におけるステージ５に設けられた三ヶ所のピ
ン１１と回転レバー６及びスペーサー１０との位置関係について説明する。  
図６は、本発明の実施例１に係る記録装置１の要部平面図であり、ピン１１と回転レバ
ー６との位置関係を表す図である。  
三ヶ所のピン１１は、何れも回転レバー６に設けられた階段状の支持部１２に支持され
ている。支持部１２は階段状となっているため、ユーザーは持ち手部分１３を持って回転
レバー６を回転させることによりその回転に対応して高さ方向Ｃにステージ５を移動可能
になる。すなわち、持ち手部分１３の移動量（回転量）に従ってステージ５の高さが決ま
る構成となっている。
【００３２】
図７は、本発明の実施例１に係る記録装置１の要部平面図であり、ピン１１とスペーサ
ー１０との位置関係を表す図である。  
三ヶ所のピン１１は、何れも回転レバー６を介してスペーサー１０上に支持されている
。別の表現をすると、スペーサー１０は、高さ方向Ｃと交差する方向において、ピン１１
における高さ方向Ｃの延長線上の位置に対応する部分を含む大きさである。このため、回
転レバー６の変形及び破損を抑制することができる。スペーサー１０の大きさがピン１１
における高さ方向Ｃの延長線上の位置に対応する部分を含む大きさでない場合、回転レバ
ー６にはスペーサー１０の支えが無い位置に下向きの力が加わる。この場合、回転レバー
６を支える部材が下側に無い状態となるので回転レバー６の変形及び破損が発生しやすく
なるためである。
【００３３】
なお、ピン１１における高さ方向Ｃの延長線上の位置に対応する部分を含む大きさには
、回転レバー６の変形及び破損を抑制する効果があれば、高さ方向Ｃの延長線上の位置を
厳密には含まない大きさであっても、該位置の近傍部分を含む大きさであれば含まれる。
高さ方向Ｃの延長線上の位置を厳密には含まない大きさであっても、該位置の近傍部分を
含む大きさであれば、回転レバー６の変形及び破損を抑制する効果がある場合があるため
である。
【００３４】
また、本実施例の記録装置１のアーム８には、回転レバー６及びスペーサー１０を嵌め
込むことが可能な嵌め込み部１５が設けられている。そして、嵌め込み部１５は一部にフ
ラット部分１６が設けられ、スペーサー１０もこれに対応して一部がフラットとなってい
る。嵌め込み部１５とスペーサー１０の一部をフラットにし、両者のフラット部分を合わ
せて嵌め込むことによって、回転レバー６を回転させる際にスペーサー１０がアーム８に
対して回転することを抑制している。すなわち、スペーサー１０及びアーム８は、回転レ
バー６の回転に伴うアーム８に対するスペーサー１０の回転を抑制する回転抑制構造をし
ている。
【００３５】
このような構成によって、スペーサー１０が回転レバー６の回転に伴ってアーム８に対
して回転することを抑制することができる。特に、本実施例の記録装置１は、ステージ５
の高さ方向Ｃにおける位置を示す表示部１７がスペーサー１０に設けられているが、この
ような構成の場合、スペーサー１０が回転することによってユーザーが該表示部１７を見
誤ることを抑制することができる。なお、本実施例の記録装置１は、回転抑制構造として
嵌め込み部１５とスペーサー１０とにフラット部分を設ける構造としたが、このような構
造に限定されず、例えば、嵌め込み部１５とスペーサー１０とに凸部と凹部とを設ける構
造等でもよい。
【００３６】
次に、本発明の実施例１に係る記録装置１におけるスペーサー１０に設けられたステー
ジ５の高さ方向Ｃにおける位置に対応する表示部１７と、回転レバー６に設けられステー
ジ５の高さ方向Ｃにおける位置を表示部１７から指し示す指示部１８について説明する。
図８及び図９は、本発明の実施例１に係る記録装置１の要部正面図であり、ステージ５
の高さ方向Ｃにおける位置を指示部１８が表示部１７から指し示している状態を表す図で
ある。
【００３７】
本実施例の記録装置１は、スペーサー１０にステージ５の高さ方向Ｃにおける位置に対
応する表示部１７が設けられている。本実施例の記録装置１における表示部１７には１か
ら８までの数字が表示されており、数字が大きくなるほど厚い媒体に対応する（数字が大
きくなるほどステージ５の高さ方向Ｃにおける位置が低くなる）。図８では、指示部１８
により数字の１が指し示されており、薄い媒体に対応する状態が表されている。なお、本
実施例の表示部１７には数字が表示されているが、この表示はステージ５の高さ方向Ｃに
おける位置に対応する表示であれば特に限定されない。すなわち、ステージ５の高さ方向
Ｃにおける位置に関する情報を表すものであれば特に限定されず、例えば、使用する媒体
の名称のほかアルファベット等の表示でもよい。
【００３８】
また、本実施例の記録装置１では、回転レバー６には、該回転レバー６の持ち手部分１
３における高さ方向Ｃの延長線上とは異なる位置に、ステージ５の高さ方向Ｃにおける位
置を表示部１７から指し示す指示部１８が設けられている。このような構成とすることに
より、簡単な構成で、且つ、ユーザーが見やすい状態でステージ５の高さ方向Ｃにおける
位置を指し示すことができる。ただし、本発明はこのような構成に限定されない。
【００３９】
図９では、指示部１８により数字の８が指し示されており、図８の状態で使用する媒体
よりも厚い媒体に対応する状態が表されている。また、本実施例の記録装置１は、スペー
サー１０を取り外すことにより、図９の状態で使用する媒体よりもさらに厚い媒体に対応
することもできる。なお、本実施例の記録装置１は、スペーサー１０に表示部１７が設け
られているが、本発明はこのような構成に限定されず、例えば、アーム８に表示部１７が
設けられていてもよい。
【００４０】
［実施例２］（図１０）  
次に、本発明の実施例２に係る記録装置について説明する。  
図１０は、本発明の実施例２に係る記録装置１の要部である媒体支持装置７の側面図で
ある。なお、実施例１と共通する構成部材は同じ符号で示しており、詳細な説明は省略す
る。
【００４１】
本実施例の媒体支持装置７のアーム８には、回転支点部１９が設けられ、スペーサー１
０と回転支点部１９とは接続部２０を介して接続されている。本実施例の媒体支持装置７
は、回転支点部１９を回転軸（支点）とし高さ方向Ｃを回転軸の方向として接続部２０及
びスペーサー１０を回転可能である。詳細には、ステージ５と回転レバー６とを一旦取り
外すことで、接続部２０を介してスペーサー１０を回転可能である。このような構成とす
ることにより、簡単な構成で、スペーサー１０を回転レバー６とアーム８との間に着脱可
能に設置できる。
【符号の説明】
【００４２】
１  記録装置、２  媒体支持部、３  媒体搬送部、４  トレイ（媒体支持トレイ）、
５  ステージ（支持台）、６  回転レバー（移動機構）、７  媒体支持装置、
８  アーム、９  下部トレイ、１０  スペーサー、１１  ピン、１２  支持部、
１３  持ち手部分、１４  ストッパー、１５  嵌め込み部、  １６  フラット部分、
１７  表示部、１８  指示部、１９  回転支点部、２０  接続部、２１  柱状部、
２２  柱状部
【図１】
2014097585.tif 000003
【図２】
2014097585.tif 000004
【図３】
2014097585.tif 000005
【図４】
2014097585.tif 000006
【図５】
2014097585.tif 000007
【図６】
2014097585.tif 000008
【図７】
2014097585.tif 000009
【図８】
2014097585.tif 000010
【図９】
2014097585.tif 000011
【図１０】
2014097585.tif 000012